(57)【要約】【課題】スナップ嵌合体の貫通孔に挿入した合成樹脂製リベット体の突起の先端を、常温下において、ハンマーで打撃して、拡径変形した際、拡径変形部の弾性復元を抑制し、安定したかしめ止め状態が得られるようにする。【解決手段】ベース１に対して昇降駆動される昇降部材２にハンマー５と保持部材７Ａとを設け、ベースには合成樹脂製リベット体３を載置する受け部材８を設け、保持部材にスナップ嵌合体６Ａを保持させ、受け部材に合成樹脂製リベット体を載置し、スナップ嵌合体と合成樹脂製リベット体の間にシート状部材９を介装した状態で、昇降部材を昇降駆動することにより、シート状部材を貫通させてスナップ嵌合体の貫通孔に挿入した合成樹脂製リベット体の突起をハンマーで打撃し、突起先端部を拡径変形させてスナップ嵌合体にかしめ止めするようにしたスナップファスナー取付け機であって、一回の取付け工程において、合成樹脂製リベット体の突起をハンマーで二度打ちする昇降駆動装置Ａを設けてある。【選択図】　　　　図１
2004073368.tif 000002
【特許請求の範囲】
【請求項１】
スナップ嵌合体の貫通孔に挿入した合成樹脂製リベット体の突起を、ハンマーで二度打ちして、突起の先端部をスナップ嵌合体にかしめ止めするようにしたことを特徴とするスナップファスナー取付け機。
【請求項２】
ベースに対して昇降駆動される昇降部材に、合成樹脂製リベット体の突起を打撃するハンマーとスナップ嵌合体を保持する保持部材とを設け、ベースには合成樹脂製リベット体を載置する受け部材を設け、前記保持部材にスナップ嵌合体を保持させ且つ前記受け部材に合成樹脂製リベット体を載置すると共に、スナップ嵌合体と合成樹脂製リベット体の間にシート状部材を介装した状態で、昇降部材を昇降駆動することにより、シート状部材を貫通させてスナップ嵌合体の貫通孔に挿入した合成樹脂製リベット体の突起を前記ハンマーで打撃し、突起先端部を拡径変形させてスナップ嵌合体にかしめ止めするようにしたスナップファスナー取付け機であって、一回の取付け工程において、合成樹脂製リベット体の突起を前記ハンマーで二度打ちする昇降駆動装置を設けたことを特徴とするスナップファスナー取付け機。
【請求項３】
昇降駆動装置が、一端を固定支点とし、他端を昇降部材に枢支連結された可動支点とし、中間部を腰折れ支点とする腰折れリンクを備えたトッグル機構と、当該トッグル機構の腰折れリンクを一回ずつ往復揺動させる駆動手段とから構成され、腰折れリンクの一往復によって、前記腰折れ支点が固定支点と可動支点とを結ぶ直線を死点として、往復の二回死点超えすることにより、合成樹脂製リベット体の突起をハンマーで二度打ちするように構成したことを特徴とする請求項２に記載のスナップファスナー取付け機。
【請求項４】
昇降駆動装置が、一端を固定支点とし、他端を昇降部材に枢支連結された可動支点とし、中間部を腰折れ支点とする腰折れリンクを備えた第一トッグル機構と、一端を固定支点とし、他端を第一トッグル機構の腰折れ支点によって構成された可動支点とし、中間部を腰折れ支点とする腰折れリンクを備えた第二トッグル機構と、第二トッグル機構の腰折れリンクを一回ずつ往復揺動させる駆動手段とから構成され、第二トッグル機構の腰折れリンクの一往復によって、第一，第二トッグル機構のうち、何れか一方のみのトッグル機構の腰折れ支点が固定支点と可動支点とを結ぶ直線を死点として、二回死点超えすることにより、合成樹脂製リベット体の突起をハンマーで二度打ちするように構成したことを特徴とする請求項２に記載のスナップファスナー取付け機。
【請求項５】
駆動手段がエアシリンダーである請求項３又は４に記載のスナップファスナー取付け機。
【請求項６】
昇降駆動装置が、一回転で二度、昇降部材を最下端位置まで下降させるカム面を持つカムと、それに追従するカムフォロアーと、前記カムを一回転ずつ回転駆動する駆動手段とによって構成されている請求項２に記載のスナップファスナー取付け機。
【発明の詳細な説明】
【０００１】
【発明の属する技術分野】
本発明は、合成樹脂製リベット体の突起をスナップ嵌合体の貫通孔に挿入し、常温下において、突起の先端部をハンマーで打撃して、拡径変形（フランジ付け）することにより、スナップ嵌合体にかしめ止めするようにしたスナップファスナー取付け機に関する。
【０００２】
【従来の技術】
衣服のような２枚のシート状部材の一側より打ち込むためのリベット体と、他側から打ち込むためのリベット体と、前記２枚のシート状部材間にあって前記リベット体によりかしめ止めされ且つ相互に弾性嵌合する雄型のスナップ嵌合体と雌型のスナップ嵌合体とから構成されるスナップファスナーにおいて、前記リベット体が、例えば、ポリアセタール、ポリエチレン、ポリエステル等の合成樹脂材料の射出成形品である場合、従来のスナップファスナー取付け機では、スナップ嵌合体の貫通孔に挿入した合成樹脂製リベット体の突起の先端を、ハンマーで打撃して、拡径変形（フランジ付け）した際、合成樹脂の弾性によって、拡径変形部が、ハンマーによる加圧方向と逆方向に、若干、復元するように変形して、かしめ止めが不安定になることがあった。殊に、リベット体がポリエステル製である場合、その傾向が顕著である。
【０００３】
【発明が解決しようとする課題】
上記の現状に鑑み、本発明は、スナップ嵌合体の貫通孔に挿入した合成樹脂製リベット体の突起の先端を、ハンマーで打撃して、拡径変形（フランジ付け）した際、拡径変形部の弾性復元を抑制して、スナップ嵌合体との安定したかしめ止め状態が得られるスナップファスナー取付け機を提供するものである。
【０００４】
【課題を解決するための手段】
上記の課題を解決するために、本発明が講じた技術的手段は、次のとおりである。即ち、請求項１に記載の発明によるスナップファスナー取付け機は、スナップ嵌合体の貫通孔に挿入した合成樹脂製リベット体の突起を、ハンマーで二度打ちして、突起の先端部をスナップ嵌合体にかしめ止めするようにしたことを特徴としている。
【０００５】
請求項２に記載の発明によるスナップファスナー取付け機は、ベースに対して昇降駆動される昇降部材に、合成樹脂製リベット体の突起を打撃するハンマーとスナップ嵌合体を保持する保持部材とを設け、ベースには合成樹脂製リベット体を載置する受け部材を設け、前記保持部材にスナップ嵌合体を保持させ且つ前記受け部材に合成樹脂製リベット体を載置すると共に、スナップ嵌合体と合成樹脂製リベット体の間にシート状部材を介装した状態で、昇降部材を昇降駆動することにより、シート状部材を貫通させてスナップ嵌合体の貫通孔に挿入した合成樹脂製リベット体の突起を前記ハンマーで打撃し、突起先端部を拡径変形させてスナップ嵌合体にかしめ止めするようにしたスナップファスナー取付け機であって、一回の取付け工程において、合成樹脂製リベット体の突起を前記ハンマーで二度打ちする昇降駆動装置を設けたことを特徴としている。
【０００６】
請求項１，２に記載の発明の構成によれば、合成樹脂製リベット体の突起をハンマーで二度打ちすることによって、突起の先端部を拡径変形（フランジ付け）するので、ハンマーによる一回目の打撃により形成された拡径変形部（フランジ）が、若干量、弾性復元しても、ハンマーによる二回目の打撃により、所定の変形状態に矯正されることになり、スナップ嵌合体との安定したかしめ止め状態が得られるのである。
【０００７】
ハンマーで二度打ちするための昇降駆動装置としては、請求項６に記載の発明のように、一回転で二度、昇降部材を最下端位置まで下降させるカム面を持つカムと、それに追従するカムフォロアーと、前記カムを一回転ずつ回転駆動する駆動手段とによって構成されたものであってもよいが、請求項３，４に記載の発明の通り、トッグル機構を利用して構成することが望ましい。
【０００８】
即ち、請求項３に記載の発明では、昇降駆動装置が、一端を固定支点とし、他端を昇降部材に枢支連結された可動支点とし、中間部を腰折れ支点とする腰折れリンクを備えたトッグル機構と、当該トッグル機構の腰折れリンクを一回ずつ往復揺動させる駆動手段とから構成され、腰折れリンクの一往復によって、前記腰折れ支点が固定支点と可動支点とを結ぶ直線を死点として、二回、死点超えすることにより、合成樹脂製リベット体の突起をハンマーで二度打ちするように構成されている。
【０００９】
この構成によれば、駆動手段の動力によってトッグル機構の腰折れリンクを一回往復揺動させることにより、腰折れリンクの腰折れ支点が固定支点と可動支点とを結ぶ直線（死点）から離れた第一位置と前記直線（死点）を超えた第二位置とにわたって往復移動し、腰折れ支点は、二回（往動時に一回、復動時に一回）死点超えすることになる。腰折れ支点が前記直線（死点）上にあるとき、換言すれば、互いに枢支連結された２本のリンクからなる腰折れリンクが直線状に変形したとき、可動支点に枢支連結された昇降部材や昇降部材に設けられたハンマーは昇降ストロークの最下端に位置することになる。
【００１０】
従って、腰折れ支点が、二回、死点超えすることにより、ハンマーは、二度、最下端を通過することになり、スナップ嵌合体の貫通孔に挿入した合成樹脂製リベット体の突起がハンマーで二度打ちされ、上述した通り、拡径変形部を所定の変形状態に矯正して、安定したかしめ止めが行われるのである。
【００１１】
しかも、トッグル機構本来の倍力作用により、小出力の駆動手段で大きなかしめ力（ハンマーによる押圧力）が得られるばかりでなく、合成樹脂製リベット体の突起によるシート状部材の貫通と、ハンマーの打撃による突起先端の拡径変形との双方を、各々に適したスピードで確実に行えることになる。
【００１２】
即ち、昇降部材の下降によって、スナップ嵌合体でシート状部材を合成樹脂製リベット体の突起に押し付け、突起をシート状部材に刺し通して、スナップ嵌合体の貫通孔に挿入させる際、突起をシート状部材に刺し通し易くするためには、スナップ嵌合体を高速で下降させることが望ましく、下降のスピードが遅いと、突起がシート状部材に貫通し難い。一方、突起の先端を、常温下において、ハンマーで打撃し、フランジ状に塑性変形させるためには、大きな力でゆっくりと押し潰すことが望ましく、ハンマーの下降スピードが速すぎると、突起の付け根のひび割れ、折損が生じ易い。
【００１３】
この点、上記の構成によれば、トッグル機構の特徴でもあるが、腰折れリンクの腰折れ支点が前記直線（死点）から離れた位置にある程、腰折れ支点の移動に伴う可動支点の移動量が多く、腰折れ支点が前記直線（死点）に近づくにつれて腰折れ支点の移動に伴う可動支点の移動量が減少することになる。換言すれば、腰折れリンクの腰折れ支点が前記直線（死点）から遠く離れた位置から前記直線（死点）に近づくまでは、昇降部材が高速で下降し、腰折れ支点が前記直線（死点）に近づいた状態では、昇降部材がゆっくりと下降して、大きな力が発揮されることになる。
【００１４】
従って、昇降部材の下降により、ハンマーと、保持部材に保持されたスナップ嵌合体とが高速で下降し、スナップ嵌合体がシート状部材を合成樹脂製リベット体の突起に押し付けて、シート状部材に突起を貫通させた後、ハンマーが低速で下降して、突起先端部を大きな力でゆっくりと打撃することになり、合成樹脂製リベット体の突起によるシート状部材の貫通と、ハンマーの打撃による突起先端の拡径変形との双方を、各々に適したスピードで確実に行えるのである。
【００１５】
殊に、請求項４に記載の発明のように、昇降駆動装置が、一端を固定支点とし、他端を昇降部材に枢支連結された可動支点とし、中間部を腰折れ支点とする腰折れリンクを備えた第一トッグル機構と、一端を固定支点とし、他端を第一トッグル機構の腰折れ支点によって構成された可動支点とし、中間部を腰折れ支点とする腰折れリンクを備えた第二トッグル機構と、第二トッグル機構の腰折れリンクを一回ずつ往復揺動させる駆動手段とから構成され、第二トッグル機構の腰折れリンクの一往復によって、第一，第二トッグル機構のうち、何れか一方のみのトッグル機構の腰折れ支点が固定支点と可動支点とを結ぶ直線を死点として、二回死点超えすることにより、合成樹脂製リベット体の突起をハンマーで二度打ちするように構成したものであれば、請求項３に記載の発明による利点に加え、ダブルトッグル機構による二重の倍力作用、つまり、第一トッグル機構による倍力作用と、第二トッグル機構による倍力作用とが発揮されることにより、出力のより一層小さな駆動手段で大きなかしめ力（ハンマーによる押圧力）が得られる利点がある。
【００１６】
尚、請求項３，４に記載の発明において、駆動手段として、クランク機構を用いることも可能であるが、請求項５に記載の発明のように、駆動手段として、エアシリンダーを用いることが、装置構成の簡略化を図る上で好ましい。
【００１７】
【発明の実施の形態】
図１〜図７は、本発明に係るスナップファスナー取付け機の一例を示す。このスナップファスナー取付け機は、ベース１に対して昇降駆動される昇降部材２に、合成樹脂製リベット体３の突起４を打撃するハンマー５と雄型のスナップ嵌合体６Ａを保持する保持部材７Ａとを設け、ベース１には合成樹脂製リベット体３を載置する受け部材８を設け、前記保持部材７Ａにスナップ嵌合体６Ａを保持させ且つ前記受け部材８に合成樹脂製リベット体３を上向きに載置すると共に、スナップ嵌合体６Ａと合成樹脂製リベット体３の間にシート状部材９を介装した状態で、昇降部材２を昇降駆動することにより、シート状部材９を貫通させてスナップ嵌合体６Ａの中央の貫通孔ａに挿入した合成樹脂製リベット体３の突起４を前記ハンマー５で打撃し、突起先端部を拡径変形させてスナップ嵌合体６Ａにかしめ止めするようにしたものであって、一回の取付け工程において、合成樹脂製リベット体３の突起４を前記ハンマー５で二度打ちする昇降駆動装置Ａを設けたことを特徴としている。
【００１８】
１０は、前記昇降部材２を上下方向スライド自在に保持する筒状の昇降ガイドである。前記保持部材７Ａは、図２に示すように、ハンマー５に対して上下方向スライド自在に構成され且つバネ１１によって下方に付勢されている。また、保持部材７Ａは、雄型のスナップ嵌合体６Ａに対応する断面形状に形成されたものであるが、図２に示すスナップピン１２を抜き取って、図７に示すように、雌型のスナップ嵌合体６Ｂを保持する保持部材（雌型のスナップ嵌合体６Ｂに対応する断面形状に形成されたもの）７Ｂと付け替えることができるようになっている。受け部材８は、ベース１に対して上下方向スライド自在で且つバネ１３により上方に付勢されたアジャスター８ａに、着脱交換可能な状態に装着されている。
【００１９】
前記昇降駆動装置Ａは、一端を固定支点Ｐ１とし、他端を昇降部材２に枢支連結された可動支点Ｐ２とし、中間部を腰折れ支点Ｐ３とする腰折れリンク１４を備えたトッグル機構Ｂと、当該トッグル機構Ｂの腰折れリンク１４を一回ずつ往復揺動させる駆動手段Ｃとから構成され、腰折れリンク１４の一往復によって、前記腰折れ支点Ｐ３が固定支点Ｐ１と可動支点Ｐ２とを結ぶ直線Ｑ１を死点として、往復の二回死点超えすることにより、合成樹脂製リベット体３の突起４をハンマー５で二度打ちするように構成してある。駆動手段Ｃとしては、図外の足踏みペダルによって流路切換えバルブを操作する復動型のエアシリンダー１５が使用されており、エアシリンダー１５は元端の枢支点１５ａ周りに揺動自在に構成されている。
【００２０】
上記の構成によれば、駆動手段Ｃの出力によってトッグル機構Ｂの腰折れリンク１４を一回往復揺動させることにより、腰折れリンク１４の腰折れ支点Ｐ３が固定支点Ｐ１と可動支点Ｐ２とを結ぶ直線（死点）Ｑ１から遠く離れた第一位置と前記直線（死点）Ｑ１を少しだけ超えた第二位置とにわたって往復移動し、腰折れ支点Ｐ３は、二回（往動時に一回、復動時に一回）死点超えすることになる。腰折れ支点Ｐ３が前記直線（死点）Ｑ１上にあるとき、換言すれば、互いに枢支連結された２本のリンク１４ａ，１４ｂからなる腰折れリンク１４が直線状に変形したとき、可動支点Ｐ２に枢支連結された昇降部材２や昇降部材２に設けられたハンマー５は昇降ストロークの最下端に位置することになる。
【００２１】
従って、腰折れ支点Ｐ３が、二回、死点超えすることにより、ハンマー５は、二度、最下端を通過することになり、スナップ嵌合体６Ａの貫通孔ａに挿入した合成樹脂製リベット体３の突起４が、常温下において、ハンマー５で二度打ちされる。このように、合成樹脂製リベット体３の突起４をハンマー５で二度打ちすることによって、突起４の先端部を拡径変形（フランジ付け）するので、ハンマー５による一回目の打撃により形成された拡径変形部（フランジ）が、若干量、弾性復元しても、ハンマー５による二回目の打撃により、所定の変形状態に矯正されることになり、スナップ嵌合体６Ａとの安定したかしめ止め状態が得られるのである。
【００２２】
上記の作用を、図１〜図５に基づいて説明すると、図１に実線で示すように、腰折れリンク１４の腰折れ支点Ｐ３が固定支点Ｐ１と可動支点Ｐ２とを結ぶ直線（死点）Ｑ１から遠く離れた第一位置にあるとき、換言すれば、エアシリンダー１５がストローク端まで縮小した状態にあるとき、図３に示すように、受け部材８に合成樹脂製リベット体３を上向きに載置し、保持部材７Ａにスナップ嵌合体６Ａを下方から嵌め込んで保持させ、両者３，６Ａ間にシート状部材９を介在させる。
【００２３】
この状態で、図外の足踏みペダルを踏み込むと、エアシリンダー１５が伸長して、腰折れリンク１４の腰折れ支点Ｐ３が前記直線（死点）Ｑ１に近づき、可動支点Ｐ２が下方へ移動するので、昇降部材２が下降する。そして、昇降部材２の下降に伴い、保持部材７Ａに保持されているスナップ嵌合体６Ａが、図２に示すように、シート状部材９を合成樹脂製リベット体３の突起４に押し付けるので、図４に示すように、突起４がシート状部材９を貫通して、スナップ嵌合体６Ａ中央の貫通穴ａに挿入される。
【００２４】
腰折れリンク１４の腰折れ支点Ｐ３が直線（死点）Ｑ１に更に接近すると、昇降部材２の下降に伴い、ハンマー５が保持部材７Ａに対して下降し、スナップ嵌合体６Ａ中央の貫通穴ａから突出している突起５の先端を打撃することになり、腰折れ支点Ｐ３が直線（死点）Ｑ１上に来たときには、ハンマー５は、昇降ストロークの最下端に位置し、図５に示すように、突起５の先端部を拡径変形させる。
【００２５】
エアシリンダー１５がストローク端まで伸長して、図１に仮想線で示すように、腰折れリンク１４の腰折れ支点Ｐ３が直線（死点）Ｑ１を少し超えた第二位置に来ると、可動支点Ｐ２が若干上方へ移動するので、昇降部材２が小距離上昇し、図６に示すように、ハンマー５が保持部材７Ａに対して少しだけ上昇する。
【００２６】
この状態で、足踏みペダルの踏込みを解除すると、エアシリンダー１５に対するエアの供給流路が切り換わり、エアシリンダー１５が元の状態まで縮小するので、腰折れリンク１４の腰折れ支点Ｐ３が再び直線（死点）Ｑ１を超えて、第一位置まで復帰する。このように、腰折れ支点Ｐ３が再度、直線（死点）Ｑ１を超えるので、昇降部材２は、一旦、小距離下降した後、上昇することになり、ハンマー５は、再び、図５で示した最下端の位置を経て上昇し、保持部材７Ａと共に、元の位置にまで上昇することになる。
【００２７】
従って、一回の取付け工程において、合成樹脂製リベット体３の突起４がハンマー５で二度打ちされることになり、ハンマー５による一回目の打撃により形成された拡径変形部（フランジ）が、若干量、弾性復元しても、ハンマー５による二回目の打撃により、所定の変形状態に矯正されることになり、スナップ嵌合体６Ａとの安定したかしめ止め状態が得られるのである。
【００２８】
しかも、トッグル機構Ｂ本来の倍力作用により、小出力の駆動手段で大きなかしめ力（ハンマー５による押圧力）が得られるばかりでなく、合成樹脂製リベット体３の突起４によるシート状部材９の貫通と、ハンマー５の打撃による突起先端の拡径変形との双方を、各々に適したスピードで確実に行えることになる。
【００２９】
即ち、腰折れリンク１４の腰折れ支点Ｐ３が前記直線（死点）Ｑ１から離れた位置にある程、腰折れ支点Ｐ３の移動に伴う可動支点Ｐ２の移動量が多く、腰折れ支点Ｐ３が前記直線（死点）Ｑ１に近づくにつれて腰折れ支点Ｐ３の移動に伴う可動支点Ｐ２の移動量が減少することになる。換言すれば、腰折れリンク１４の腰折れ支点Ｐ３が前記直線（死点）Ｑ１から遠く離れた第一位置から前記直線（死点）Ｑ１に近づくまでは、昇降部材２が高速で下降し、腰折れ支点Ｐ３が前記直線（死点）Ｑ１に近づいた状態では、昇降部材２がゆっくりと下降して、大きな力が発揮されることになる。
【００３０】
従って、昇降部材２の下降により、ハンマー５と、保持部材２に保持されたスナップ嵌合体６Ａとが高速で下降し、スナップ嵌合体６Ａがシート状部材９を合成樹脂製リベット体３の突起４に勢い良く押し付けて、シート状部材９に突起４を貫通させた後、ハンマー５が低速で降して、突起先端部を大きな力でゆっくりと打撃することになり、合成樹脂製リベット体３の突起４によるシート状部材９の貫通と、ハンマー５の打撃による突起先端の拡径変形との双方を、各々に適したスピードで確実に行えるのである。
【００３１】
図８は、本発明に係るスナップファスナー取付け機の他の例を示す。このスナップファスナー取付け機は、昇降駆動装置Ａが、一端を固定支点Ｐ１とし、他端を昇降部材２に枢支連結された可動支点Ｐ２とし、中間部を腰折れ支点Ｐ３とする腰折れリンク１４を備えた第一トッグル機構Ｂ１と、一端を固定支点Ｐ４とし、他端を第一トッグル機構Ｂ１の腰折れ支点Ｐ３によって構成された可動支点Ｐ５とし、中間部を腰折れ支点Ｐ６とする腰折れリンク１４を備えた第二トッグル機構Ｂ２と、第二トッグル機構Ｂ２の腰折れリンク１４を一回ずつ往復揺動させる駆動手段Ｃとから構成され、第二トッグル機構Ｂ２の腰折れリンク１４の一往復によって、第一トッグル機構Ｂ１の腰折れ支点Ｐ３が固定支点Ｐ１と可動支点Ｐ２とを結ぶ直線Ｑ１を死点として、二回死点超えすることにより、合成樹脂製リベット体３の突起４をハンマー５で二度打ちするように構成したことを特徴としている。尚、第一トッグル機構Ｂ１の腰折れ支点Ｐ３が固定支点Ｐ１と可動支点Ｐ２とを結ぶ直線Ｑ１（死点）を超えても、第二トッグル機構Ｂ２の腰折れ支点Ｐ６は、固定支点Ｐ４と可動支点Ｐ５とを結ぶ直線（死点）Ｑ２を超えることがないように構成されている。その他の構成は、図１〜図７で説明した実施の形態と同じであるため、同一構成部材に同一符号を付し、説明を省略する。
【００３２】
図９は、本発明に係るスナップファスナー取付け機の他の例を示す。このスナップファスナー取付け機は、昇降駆動装置Ａが、一端を固定支点Ｐ１とし、他端を昇降部材２に枢支連結された可動支点Ｐ２とし、中間部を腰折れ支点Ｐ３とする腰折れリンク１４を備えた第一トッグル機構Ｂ１と、一端を固定支点Ｐ４とし、他端を第一トッグル機構Ｂ１の腰折れ支点Ｐ３によって構成された可動支点Ｐ５とし、中間部を腰折れ支点Ｐ６とする腰折れリンク１４を備えた第二トッグル機構Ｂ２と、第二トッグル機構Ｂ２の腰折れリンク１４を一回ずつ往復揺動させる駆動手段Ｃとから構成され、第二トッグル機構Ｂ２の腰折れリンク１４の一往復によって、第二トッグル機構Ｂ２の腰折れ支点Ｐ６が固定支点Ｐ４と可動支点Ｐ５とを結ぶ直線Ｑ２を死点として、二回死点超えすることにより、合成樹脂製リベット体３の突起４をハンマー５で二度打ちするように構成したことを特徴としている。尚、第二トッグル機構Ｂ２の腰折れ支点Ｐ６が固定支点Ｐ４と可動支点Ｐ５とを結ぶ直線Ｑ２（死点）を超えても、第一トッグル機構Ｂ１の腰折れ支点Ｐ３は、固定支点Ｐ１と可動支点Ｐ２とを結ぶ直線（死点）Ｑ１を超えることがないように構成されている。その他の構成は、図８と同じであるため、同一構成部材に同一符号を付し、説明を省略する。
【００３３】
これら図８、図９の構成によれば、ダブルトッグル機構による二重の倍力作用、つまり、第一トッグル機構Ｂ１による倍力作用と、第二トッグル機構Ｂ２による倍力作用とが発揮されることにより、出力のより小さな駆動手段（小出力のエアシリンダー１５）Ｃで大きなかしめ力（ハンマーによる押圧力）が得られる利点がある。その他の作用、例えば、合成樹脂製リベット体３の突起４がハンマー５で二度打ちされるので、弾性復元した拡径変形部を所定の変形状態に矯正して、安定したかしめ止めが行われる、合成樹脂製リベット体３の突起４によるシート状部材９の貫通と、ハンマー５の打撃による突起先端の拡径変形との双方を、各々に適したスピードで確実に行える等の作用は、図１〜図７で説明した実施の形態と同じであるため、説明を省略する。
【００３４】
図１、図８、図９で示した実施の形態においては、何れも、駆動手段Ｃとして図外の足踏みペダルによって流路切換えバルブを操作するようにした復動型のエアシリンダー１５が使用されているが、駆動手段Ｃとしては、図１０に示すように、図外の電動機により一回転クラッチを介して回転駆動されるクランクディスク１６ａ、クランクピン１６ｂ、クランクピン１６ｂと腰折れリンク１４を連結するコンロッド１６ｃ等で構成されるクランク機構１６であってもよい。
【００３５】
また、図１１に示すように、昇降駆動装置Ａを、一回転で二度、昇降部材２を最下端位置まで下降させるカム面Ｓ１，Ｓ２を持つカム１７と、それに追従するカムフォロアー１８と、前記カム１７を一回転ずつ回転駆動する駆動手段（例えば、電動機と一回転クラッチ）によって構成してもよい。図１１における１９は、昇降部材２を昇降ガイド１０に対して上昇付勢する復帰用のバネである。
【００３６】
【発明の効果】
本発明は、上述した構成よりなり、スナップ嵌合体の貫通孔に挿入した合成樹脂製リベット体の突起の先端を、ハンマーで打撃して、拡径変形（フランジ付け）した際、拡径変形部の弾性復元を抑制して、スナップ嵌合体との安定したかしめ止め状態が得られる等の効果がある。
【図面の簡単な説明】
【図１】本発明に係るスナップファスナー取付け機の側面図である。
【図２】要部の縦断側面図である。
【図３】要部の拡大縦断正面図である。
【図４】要部の拡大縦断正面図である。
【図５】要部の拡大縦断正面図である。
【図６】要部の拡大縦断正面図である。
【図７】要部の拡大縦断正面図である。
【図８】本発明に係るスナップファスナー取付け機の他の例を示す側面図である。
【図９】本発明に係るスナップファスナー取付け機の他の例を示す側面図である。
【図１０】本発明に係るスナップファスナー取付け機の他の例を示す側面図である。
【図１１】本発明に係るスナップファスナー取付け機の他の例を示す側面図である。
【符号の説明】
Ａ…昇降駆動装置、Ｂ…トッグル機構、Ｂ１…第一トッグル機構、Ｂ２…第二トッグル機構、Ｑ１，Ｑ２…直線（死点）、２…昇降部材、３…合成樹脂製リベット体、４…突起、５…ハンマー、６Ａ，６Ｂ…スナップ嵌合体、７Ａ，７Ｂ…保持部材、８…受け部材、１４…腰折れリンク。
【図１】
2004073368.tif 000003
【図２】
2004073368.tif 000004
【図３】
2004073368.tif 000005
【図４】
2004073368.tif 000006
【図５】
2004073368.tif 000007
【図６】
2004073368.tif 000008
【図７】
2004073368.tif 000009
【図８】
2004073368.tif 000010
【図９】
2004073368.tif 000011
【図１０】
2004073368.tif 000012
【図１１】
2004073368.tif 000013